【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
画像を表示可能な表示手段と、
遊技者が操作可能な操作手段と、
予め定められた第１条件が成立したことに基づいて、所定の遊技状態において実行され得る演出の種別を示す複数の演出種別画像で少なくとも構成され、前記複数の演出種別画像のうち１の前記演出種別画像が予め定められた特定の表示態様で表示される特定画像を前記表示手段に表示させる特定画像表示手段と、
前記特定画像が表示されている間に前記操作手段に対して所定の操作が行われたことに基づいて、前記特定の表示態様で表示される前記演出種別画像を可変させる画像可変手段と、
前記画像可変手段により前記特定の表示態様で表示される前記演出種別画像を可変させる順序を決定する順序決定手段と、
前記特定画像が表示されている状態で予め定められた第２条件が成立したことに基づいて、前記特定の表示態様で表示されている前記演出種別画像によって示される種別の演出を実行する演出実行手段と、
前記第１条件の成立後、最初に表示される前記特定画像において前記特定の表示態様で表示される前記演出種別画像を、前記演出実行手段による実行回数が予め定められた特定回数未満の演出のうち第１の種別の演出を示す１の前記演出種別画像に設定可能な設定手段と、
前記所定の遊技状態において所定条件が成立したことに基づいて、当該所定条件の成立時の前記演出の実行位置によらず、当該所定条件が成立した後の所定期間の間に当該演出に含まれる所定の演出態様の実行がなされた状態とする手段と、を備え、
前記順序決定手段は、
前記第１条件の成立後、最初に表示される前記特定画像が表示されている状態において、前記操作手段に対して第１の操作内容の操作を行うことで、前記演出実行手段による実行回数が前記特定回数未満の演出のうち前記第１の種別とは異なる第２の種別の演出を示す前記演出種別画像が前記特定の表示態様で表示され、前記操作手段に対して前記第１の操作内容の操作とは異なる第２の操作内容の操作を行うことで、前記演出実行手段による実行回数が前記特定回数以上の演出の種別を示す前記演出種別画像が前記特定の表示態様で表示されるように順序を決定可能であり、
前記第１条件の成立後、最初に表示される前記特定画像が表示されている状態において、前記操作手段に対して前記第１の操作内容の操作を行った後で更に前記第１の操作内容の操作を行うことで、前記演出実行手段による実行回数が前記特定回数未満の演出のうち前記第１の種別とも前記第２の種別とも異なる第３の種別の演出を示す前記演出種別画像が前記特定の表示態様で表示されるように順序を決定可能であり、
前記演出実行手段により１回以上実行された所定演出の種別数が予め定められた特定数に満たない状況下で前記第１条件が成立し、最初に表示される前記特定画像が表示されている状態において、前記操作手段に対して前記第２の操作内容の操作を行うことで、前記演出実行手段による実行回数が前記特定回数未満の演出の種別を示す前記演出種別画像が前記特定の表示態様で表示されるように順序を決定可能であることを特徴とする遊技機。
【請求項２】
前記表示手段は、遊技者が視認可能な位置に設けられていることを特徴とする請求項１記載の遊技機。
【手続補正２】
【補正対象書類名】明細書
【補正対象項目名】０００２
【補正方法】変更
【補正の内容】
【０００２】
パチンコ機等の遊技機には、液晶表示装置等の表示装置が設けられた遊技機が知られている。この従来型の遊技機では、表示装置において図柄の変動表示が行われ、予め定められた図柄が停止表示されることで、遊技者に有利な当たり遊技が付与される。また、表示装置には、図柄以外にもキャラクタや風景等の様々な画像が表示され、多種多様な興趣演出を実行することで遊技の興趣向上を図っていた。更に、かかる従来型の遊技機には、スピーカー等の音声出力装置が設けられたものも存在し、視覚的な演出だけでなく、聴覚的な演出を実行可能に構成して演出の態様を多様化することにより、興趣向上を図っていた。
【手続補正３】
【補正対象書類名】明細書
【補正対象項目名】０００６
【補正方法】変更
【補正の内容】
【０００６】
この目的を達成するために請求項１記載の遊技機は、画像を表示可能な表示手段と、遊技者が操作可能な操作手段と、予め定められた第１条件が成立したことに基づいて、所定の遊技状態において実行され得る演出の種別を示す複数の演出種別画像で少なくとも構成され、前記複数の演出種別画像のうち１の前記演出種別画像が予め定められた特定の表示態様で表示される特定画像を前記表示手段に表示させる特定画像表示手段と、前記特定画像が表示されている間に前記操作手段に対して所定の操作が行われたことに基づいて、前記特定の表示態様で表示される前記演出種別画像を可変させる画像可変手段と、前記画像可変手段により前記特定の表示態様で表示される前記演出種別画像を可変させる順序を決定する順序決定手段と、前記特定画像が表示されている状態で予め定められた第２条件が成立したことに基づいて、前記特定の表示態様で表示されている前記演出種別画像によって示される種別の演出を実行する演出実行手段と、前記第１条件の成立後、最初に表示される前記特定画像において前記特定の表示態様で表示される前記演出種別画像を、前記演出実行手段による実行回数が予め定められた特定回数未満の演出のうち第１の種別の演出を示す１の前記演出種別画像に設定可能な設定手段と、前記所定の遊技状態において所定条件が成立したことに基づいて、当該所定条件の成立時の前記演出の実行位置によらず、当該所定条件が成立した後の所定期間の間に当該演出に含まれる所定の演出態様の実行がなされた状態とする手段と、を備え、前記順序決定手段は、前記第１条件の成立後、最初に表示される前記特定画像が表示されている状態において、前記操作手段に対して第１の操作内容の操作を行うことで、前記演出実行手段による実行回数が前記特定回数未満の演出のうち前記第１の種別とは異なる第２の種別の演出を示す前記演出種別画像が前記特定の表示態様で表示され、前記操作手段に対して前記第１の操作内容の操作とは異なる第２の操作内容の操作を行うことで、前記演出実行手段による実行回数が前記特定回数以上の演出の種別を示す前記演出種別画像が前記特定の表示態様で表示されるように順序を決定可能であり、前記第１条件の成立後、最初に表示される前記特定画像が表示されている状態において、前記操作手段に対して前記第１の操作内容の操作を行った後で更に前記第１の操作内容の操作を行うことで、前記演出実行手段による実行回数が前記特定回数未満の演出のうち前記第１の種別とも前記第２の種別とも異なる第３の種別の演出を示す前記演出種別画像が前記特定の表示態様で表示されるように順序を決定可能であり、前記演出実行手段により１回以上実行された所定演出の種別数が予め定められた特定数に満たない状況下で前記第１条件が成立し、最初に表示される前記特定画像が表示されている状態において、前記操作手段に対して前記第２の操作内容の操作を行うことで、前記演出実行手段による実行回数が前記特定回数未満の演出の種別を示す前記演出種別画像が前記特定の表示態様で表示されるように順序を決定可能である。
【手続補正４】
【補正対象書類名】明細書
【補正対象項目名】０００７
【補正方法】変更
【補正の内容】
【０００７】
請求項２記載の遊技機は、請求項１記載の遊技機において、前記表示手段は、遊技者が視認可能な位置に設けられている。
【手続補正５】
【補正対象書類名】明細書
【補正対象項目名】００１１
【補正方法】変更
【補正の内容】
【００１１】
本発明の遊技機によれば、画像を表示可能な表示手段と、遊技者が操作可能な操作手段と、予め定められた第１条件が成立したことに基づいて、所定の遊技状態において実行され得る演出の種別を示す複数の演出種別画像で少なくとも構成され、前記複数の演出種別画像のうち１の前記演出種別画像が予め定められた特定の表示態様で表示される特定画像を前記表示手段に表示させる特定画像表示手段と、前記特定画像が表示されている間に前記操作手段に対して所定の操作が行われたことに基づいて、前記特定の表示態様で表示される前記演出種別画像を可変させる画像可変手段と、前記画像可変手段により前記特定の表示態様で表示される前記演出種別画像を可変させる順序を決定する順序決定手段と、前記特定画像が表示されている状態で予め定められた第２条件が成立したことに基づいて、前記特定の表示態様で表示されている前記演出種別画像によって示される種別の演出を実行する演出実行手段と、前記第１条件の成立後、最初に表示される前記特定画像において前記特定の表示態様で表示される前記演出種別画像を、前記演出実行手段による実行回数が予め定められた特定回数未満の演出のうち第１の種別の演出を示す１の前記演出種別画像に設定可能な設定手段と、前記所定の遊技状態において所定条件が成立したことに基づいて、当該所定条件の成立時の前記演出の実行位置によらず、当該所定条件が成立した後の所定期間の間に当該演出に含まれる所定の演出態様の実行がなされた状態とする手段と、を備え、前記順序決定手段は、前記第１条件の成立後、最初に表示される前記特定画像が表示されている状態において、前記操作手段に対して第１の操作内容の操作を行うことで、前記演出実行手段による実行回数が前記特定回数未満の演出のうち前記第１の種別とは異なる第２の種別の演出を示す前記演出種別画像が前記特定の表示態様で表示され、前記操作手段に対して前記第１の操作内容の操作とは異なる第２の操作内容の操作を行うことで、前記演出実行手段による実行回数が前記特定回数以上の演出の種別を示す前記演出種別画像が前記特定の表示態様で表示されるように順序を決定可能であり、前記第１条件の成立後、最初に表示される前記特定画像が表示されている状態において、前記操作手段に対して前記第１の操作内容の操作を行った後で更に前記第１の操作内容の操作を行うことで、前記演出実行手段による実行回数が前記特定回数未満の演出のうち前記第１の種別とも前記第２の種別とも異なる第３の種別の演出を示す前記演出種別画像が前記特定の表示態様で表示されるように順序を決定可能であり、前記演出実行手段により１回以上実行された所定演出の種別数が予め定められた特定数に満たない状況下で前記第１条件が成立し、最初に表示される前記特定画像が表示されている状態において、前記操作手段に対して前記第２の操作内容の操作を行うことで、前記演出実行手段による実行回数が前記特定回数未満の演出の種別を示す前記演出種別画像が前記特定の表示態様で表示されるように順序を決定可能である。
【手続補正６】
【補正対象書類名】明細書
【補正対象項目名】１８１８
【補正方法】変更
【補正の内容】
【１８１８】
１０                      パチンコ機（遊技機）
８１                      第３図柄表示装置（第２制御例における表示手段）
２３０                    操作ボタン（第２制御例における操作手段）
３０８                    スピーカー部（音声出力手段）
Ｓ４３５１                第２制御例における順序決定手段、設定手段
Ｓ５１０４                第２制御例における特定画像表示手段
Ｓ５１０７                演出実行手段
Ｓ５１１１                第２制御例における画像可変手段
Ｓ５５０７ 第２制御例における演出実行手段
Ｓ９２０８，Ｓ９２１３    音声データ再生手段の一部
Ｓ９３０８                音声データ再生手段の一部